(57)【要約】  受信器は、少なくとも２つの共同作用動作モードを有する等化器を備え、第１の共同作用モードでは、等化器は、主タップにおいて予め設定された非ゼロ値で起動される一方、第２の共同作用モードでは、等化器は、全てのタップが同じ値、例えば、ゼロの値に等しくなるように設定されるように起動される。
2007537677.tif 000002
【特許請求の範囲】
【請求項１】
受信器であって、
少なくとも２つの共同作用動作モードを有する等化器を備え、
第１の共同作用モードでは、前記等化器は、少なくとも１つのタップにおいて予め設定された非ゼロ値で起動される一方、第２の共同作用モードでは、前記等化器は、全てのタップが同じ値に等しくなるように設定されるように起動されることを特徴とする受信器。
【請求項２】
請求項１記載の受信器であって、前記第１の共同作用モードでは、前記等化器は、少なくとも１つのタップにおいて予め設定された非ゼロ値で起動され、前記等化器は、ブラインド動作モード、及び判定によって規定される動作モードによって信号を等化し、前記等化器は、前記等化器からの出力信号の平均二乗誤差推定の関数として、前記ブラインド・モードから前記判定によって規定されるモードに移ることを特徴とする受信器。
【請求項３】
請求項２記載の受信器であって、前記等化器は、前記ブラインド・モード下又は前記判定によって規定されるモード下でのフィードバック・フィルタ入力信号が、等化器出力信号、スライサ出力信号、又は外部入力信号のうちの少なくとも１つを備えるフィードバック・フィルタを備えることを特徴とする受信器。
【請求項４】
請求項１記載の受信器であって、前記第２の共同作用モードでは、前記等化器は、タップ全てが同じ値に等しくなるように設定されるように起動され、前記等化器は、訓練動作モード、ブラインド動作モード、及び判定によって規定される動作モードによって信号を等化し、前記等化器は、前記等化器の出力信号の平均二乗誤差推定の関数として、前記訓練動作モードと、前記ブラインド・モードと、前記判定によって規定されるモードとの間を移行することを特徴とする受信器。
【請求項５】
請求項４記載の受信器であって、前記等化器は、前記ブラインド・モード下又は前記判定によって規定されるモード下でのフィードバック・フィルタ入力信号が、前記等化器出力信号、スライサ出力信号、又は外部入力信号のうちの少なくとも１つを備えるフィードバック・フィルタを備えることを特徴とする受信器。
【請求項６】
請求項１記載の受信器であって、前記第２の共同作用モードでは、前記等化器は、タップ全てがゼロの値に等しくなるように設定されるように起動されることを特徴とする受信器。
【請求項７】
請求項１記載の受信器であって、前記第１の共同作用動モードでは、前記少なくとも１つのタップが、前記等化器の主タップであることを特徴とする受信器。
【請求項８】
請求項１記載の受信器であって、
受信信号の関数として前記共同作用動作モードのうちの１つに前記等化器を設定するプロセッサを更に備えることを特徴とする受信器。
【請求項９】
請求項８記載の受信器であって、前記受信信号が、ＡＴＳＣ−ＤＴＶ（高度テレビジョン方式委員会‐ディジタル・テレビジョン）信号を表すことを特徴とする受信器。
【請求項１０】
請求項８記載の受信器であって、前記プロセッサが、初期化からタップ適応までの前記等化器の動作を更に制御することを特徴とする受信器。
【請求項１１】
請求項１記載の受信器であって、
受信信号から同期化信号を生成する同期生成器と、
ステータス信号の関数として前記共同作用動作モードの１つに前記等化器を設定するコントローラとを更に備えることを特徴とする受信器。
【請求項１２】
請求項１１記載の受信器であって、前記同期化信号が、ＡＴＳＣ−ＤＴＶ（高度テレビジョン方式委員会‐ディジタル・テレビジョン）セグメント同期信号を表すことを特徴とする受信器。
【請求項１３】
請求項１１記載の受信器であって、前記同期化信号が、ＡＴＳＣ−ＤＴＶ（高度テレビジョン方式委員会‐ディジタル・テレビジョン）フレーム同期信号を表すことを特徴とする受信器。
【請求項１４】
請求項１１記載の受信器であって、前記同期生成器が少なくとも２つの動作モードを備え、第１の動作モードでは、前記同期生成器はチャネル仮想中心信号の関数として前記同期化信号を生成し、第２の動作モードでは、デュアルモード同期生成器は相関信号の関数として前記同期化信号を生成することを特徴とする受信器。
【請求項１５】
請求項１４記載の受信器であって、
復調信号に応じ、前記チャネル仮想中心信号及び前記相関信号を供給するセントロイド算出器を更に備えることを特徴とする受信器。
【請求項１６】
請求項１４記載の受信器であって、
復調信号に応じ、復調信号と、前記同期化信号を表すデータ・パターンとの間の相関を表す前記相関信号を供給する相関器を更に備えることを特徴とする受信器。
【請求項１７】
請求項１４記載の受信器であって、
復調信号内で伝えられるデータ・パターンの関数として前記チャネル仮想中心信号を供給するセントロイド算出ループを更に備え、前記データ・パターンが前記同期化信号を表すことを特徴とする受信器。
【請求項１８】
請求項１４の受信器であって、前記同期生成器は、前記チャネル仮想中心信号の値と、前記相関信号の関数である値との間の差の関数として前記同期化信号を生成することを特徴とする受信器。
【請求項１９】
請求項１４記載の受信器であって、前記同期生成器は、ロック信号の関数として前記同期化信号を生成し、前記ロック信号は前記等化器のロック・ステータスを表すことを特徴とする受信器。
【請求項２０】
請求項１４記載の受信器であって、前記同期生成器は、時間間隔ΔＴ内に生起するロック信号の関数として前記同期化信号を生成し、前記ロック信号は前記等化器のロック・ステータスを表すことを特徴とする受信器。
【請求項２１】
請求項１記載の受信器であって、前記第１の共同作用モードでは、前記少なくとも１つのタップが、前記等化器の所定のフィードフォワード・フィルタ・タップであることを特徴とする受信器。
【請求項２２】
受信器において用いる方法であって、
いくつかの共同作用動作モードのうちの１つに等化器を設定する工程と、
前記設定共同作用モードによって信号を等化する工程とを備え、
第１の共同作用モードでは、前記等化器は、少なくとも１つのタップにおいて予め設定された非ゼロ値で起動される一方、第２の共同作用モードでは、前記等化器は、タップ全てが同じ値に等しくなるように設定されるように起動されることを特徴とする方法。
【請求項２３】
請求項２２記載の方法であって、前記第１の共同作用モードでは、前記等化器は、少なくとも１つのタップにおいて予め設定された非ゼロ値で起動され、前記等化する工程は、
ブラインド動作モードによって前記信号を等化する工程と、
判定によって規定される動作モードによって前記信号を等化する工程とを含み、
前記等化器は、前記等化器の出力信号の平均二乗誤差推定の関数として、前記ブラインド・モードから前記判定によって規定されるモードに移ることを特徴とする方法。
【請求項２４】
請求項２３記載の方法であって、等化する少なくとも１つの工程は、入力信号をフィルタリングするフィードバック・フィルタリング工程を備え、前記入力信号は、等化器出力信号、スライサ出力信号又は外部入力信号のうちの少なくとも１つを備えることを特徴とする方法。
【請求項２５】
請求項２２記載の方法であって、前記第２の共同作用モードでは、前記等化器は、タップ全てが同じ値に等しくなるように設定されるように起動され、前記等化する工程は、
訓練動作モードによって前記信号を等化する工程、
ブラインド動作モードによって前記信号を等化する工程、
及び判定によって規定される動作モードによって前記信号を等化する工程を含み、
前記等化器は、前記等化器の出力信号の平均二乗誤差推定の関数として、前記訓練モードと、前記ブラインド・モードと、前記判定によって規定されるモードとの間を移行することを特徴とする方法。
【請求項２６】
請求項２５記載の方法であって、等化する少なくとも１つの工程は、入力信号をフィルタリングするフィードバック・フィルタリング工程を備え、前記入力信号は、等化器出力信号、スライサ出力信号又は外部入力信号のうちの少なくとも１つを備えることを特徴とする方法。
【請求項２７】
請求項２２記載の方法であって、前記第２の共同作用モードでは、前記等化器は、タップ全てがゼロの値に等しくなるように設定されるように起動されることを特徴とする方法。
【請求項２８】
請求項２２記載の方法であって、前記第１の共同作用モードでは、前記少なくとも１つのタップが、前記等化器の主タップであることを特徴とする方法。
【請求項２９】
請求項２２記載の方法であって、前記設定する工程は、受信信号の関数として前記共同作用動作モードの１つに前記等化器を設定することを特徴とする方法。
【請求項３０】
請求項２９記載の方法であって、前記受信信号が、ＡＴＳＣ−ＤＴＶ（高度テレビジョン方式委員会‐ディジタル・テレビジョン）信号を表すことを特徴とする方法。
【請求項３１】
請求項２９記載の方法であって、前記設定する工程は、前記受信信号の関数として初期化又はタップ適応に前記等化器を更に設定することを特徴とする方法。
【請求項３２】
請求項２２記載の方法であって、
同期生成器からのステータス信号を供給する工程を更に備え、
前記設定する工程は、前記ステータス信号の関数として前記共同作用動作モードの１つに前記等化器を設定することを特徴とする方法。
【請求項３３】
請求項３２記載の方法であって、前記設定する工程は、前記ステータス信号の関数として初期化又はタップ適応に前記等化器を更に設定することを特徴とする方法。
【請求項３４】
請求項３２記載の方法であって、前記供給する工程は、
チャネル仮想中心信号の関数として第１のモードにおいて同期化信号を供給する工程と、
相関信号の関数として第２のモードにおいて前記同期化信号を供給する工程とを含むことを特徴とする方法。
【請求項３５】
請求項３４記載の方法であって、前記同期化信号が、ＡＴＳＣ−ＤＴＶ（高度テレビジョン方式委員会‐ディジタル・テレビジョン）セグメント同期信号を表すことを特徴とする方法。
【請求項３６】
請求項３４記載の方法であって、前記同期化信号が、ＡＴＳＣ−ＤＴＶ（高度テレビジョン方式委員会‐ディジタル・テレビジョン）フレーム同期信号を表すことを特徴とする方法。
【請求項３７】
請求項３４記載の方法であって、
復調信号を処理して前記チャネル仮想中心信号及び前記相関信号を供給する工程を更に備えることを特徴とする方法。
【請求項３８】
請求項３４記載の方法であって、
復調信号と、前記同期化信号を表すデータ・パターンとの間の相関を表す前記相関信号を供給する工程を更に備えることを特徴とする方法。
【請求項３９】
請求項３４記載の方法であって、
復調信号内で伝えられるデータ・パターンの関数として前記チャネル仮想中心信号を供給する工程を更に備え、前記データ・パターンが前記同期化信号を表すことを特徴とする方法。
【請求項４０】
請求項３４記載の方法であって、
前記チャネル仮想中心信号の値と、前記相関信号の関数である値との間の差の関数として前記同期化信号を供給する工程を更に備えることを特徴とする方法。
【請求項４１】
請求項３４記載の方法であって、
ロック信号の関数として前記同期化信号を供給する工程を更に備え、前記ロック信号は前記等化器のロック・ステータスを表すことを特徴とする方法。
【請求項４２】
請求項３４記載の方法であって、
時間間隔ΔＴ内に生起するロック信号の関数として前記同期化信号を供給する工程を更に備え、前記ロック信号は前記等化器のロック・ステータスを表すことを特徴とする方法。
【請求項４３】
請求項２２記載の方法であって、前記第１の共同作用モードでは、前記少なくとも１つのタップが、前記等化器の所定のフィードフォワード・フィルタ・タップであることを特徴とする方法。
【発明の詳細な説明】
【技術分野】
【０００１】
本発明は一般に通信システムに関し、特に受信器に関する。
【背景技術】
【０００２】
ＡＴＳＣ−ＤＴＶ（米国高度テレビジョン方式委員会・ディジタル・テレビジョン）システム（例えば、Ｕｎｉｔｅｄ  Ｓｔａｔｅｓ  Ａｄｖａｎｃｅｄ  Ｔｅｌｅｖｉｓｉｏｎ  Ｓｙｓｔｅｍｓ  Ｃｏｍｍｉｔｔｅｅ，  「ＡＴＳＣ  Ｄｉｇｉｔａｌ  Ｔｅｌｅｖｉｓｉｏｎ  Ｓｔａｎｄａｒｄ」，  Ｄｏｃｕｍｅｎｔ  Ａ／５３，  Ｓｅｐｔｅｍｂｅｒ  １６，  １９９５、及び「Ｇｕｉｄｅ  ｔｏ  ｔｈｅ  Ｕｓｅ  ｏｆ  ｔｈｅ  ＡＴＳＣ  Ｄｉｇｉｔａｌ  Ｔｅｌｅｖｉｓｉｏｎ  Ｓｔａｎｄａｒｄ」，  Ｄｏｃｕｍｅｎｔ  Ａ／５４，  Ｏｃｔｏｂｅｒ  ４，  １９９５参照。）のような、現代のディジタル通信システムでは、高度変調、チャネル符号化及び等化が通常、施される。受信器では、復調器は一般にキャリア位相及び／又はシンボル・タイミングの不定性を有する。等化器は一般に、ＤＦＥ（判定帰還等化器）タイプ又はその特定の変形であり、有限長を有する。激しく歪んだチャネルでは、信号を首尾良く処理し、歪みを補正する最良の機会を等化器に与えるうえでチャネル・インパルス応答の仮想中心が分かることが重要である。一手法は、セグメント同期化（同期）信号に基づいて適応型等化器のチャネル仮想中心を算出するセントロイド算出器を用いるものである。別の手法は、フレーム同期信号に基づいて適応型等化器のチャネル仮想中心を算出するセントロイド算出器を用いるものである。
【発明の開示】
【発明が解決しようとする課題】
【０００３】
チャネル仮想中心が判定されると、セグメント同期信号やフレーム同期信号などの参照信号を、仮想中心で整列させるよう受信器内で局所に再生成させる。その結果、等化データ出力が仮想中心で整列することになるようにチャネルを等化するよう等化器内でタップが増えることになる。
【課題を解決するための手段】
【０００４】
前述の通り、等化器を用いて歪みを補正する。伝統的な形態の等化は、主タップにおいて予め設定された非ゼロ値で等化器を起動させる一方、残りのタップは全て、ゼロの値に等しくなるように設定される。対照的に、別の形態の等化は、主タップ値なしで等化器を起動させ、タップは全て、ゼロの値に等しくなるように設定される。この別の形態の等化によって、前述のＡＴＳＣ−ＤＴＶシステムのようなディジタル・システムにおける、特性上の潜在的な利点が備えられる。しかし、こうした特性上の潜在的な利点は、初期獲得のための訓練アルゴリズムに依拠する必要性によってオフセットされ、これは、受信器特性に負の影響を及ぼし得る。例えば、ＡＴＳＣ受信器における獲得は、主訓練信号（すなわち、ＡＴＳＣ−ＤＴＶフィールド同期信号）が２５ｍｓ（ミリ秒）毎にしか繰り返さないため、かなり遅くなり得る。
【０００５】
したがって、かつ本発明の原理によれば、デュアルモード等化器は、受信信号の特性によって両方のタイプの等化手法を利用する。特に、受信器は、少なくとも２つの共同作用動作モードを有する等化器を備え、第１の共同作用モードでは、等化器は、少なくとも１つのタップ、例えば、主タップにおいて予め設定された非ゼロ値で起動される一方、第２の共同作用モードでは、等化器は、全てのタップが同じ値、例えば、ゼロの値に等しくなるように設定されるように起動される。
【０００６】
本発明の実施例では、ＡＴＳＣ受信器は、デュアルモード等化器と、プロセッサとを備える。デュアルモード等化器は、プロセッサの制御下で２つの共同作用動作モードを有する。第１の共同作用モードでは、デュアルモード等化器は、主タップにおいて予め設定された非ゼロ値で起動される。一方、第２の共同作用モードでは、デュアルモード等化器は、タップ全てがゼロの値を有するように起動される。プロセッサは、受信ＡＴＳＣ−ＤＴＶ信号の関数としてデュアルモード等化器のモードを設定する。
【０００７】
本発明の別の実施例では、ＡＴＳＣ受信器は、デュアルモード等化器と、デュアルモード同期化（同期）生成器とを備える。デュアルモード等化器は、２つの共同作用動作モードを有する。第１の共同作用モードでは、デュアルモード等化器は、主タップにおいて予め設定された非ゼロ値で起動される。一方、第２の共同作用モードでは、デュアルモード等化器は、タップ全てがゼロの値を有するように起動される。デュアルモード等化器のモードは、デュアルモード同期生成器のステータスの関数として設定される。
【発明を実施するための最良の形態】
【０００８】
本発明の概念以外には、添付図面に示すエレメントは周知であり、詳細に説明しない。更に、テレビジョン放送及び受信器をよく知っていることを前提とし、本明細書では詳細に説明しない。例えば、本発明の概念以外では、ＴＶ標準（ＮＴＳＣ（米国テレビジョン方式委員会）、ＰＡＬ（位相反転走査線）、ＳＥＣＡＭ（順次式カラー・メモリ）及びＡＴＳＣ（高度テレビジョン方式委員会）（ＡＴＳＣ）の現在の勧告、及び提案されている勧告をよく知っていることを前提とする。同様に、本発明の概念以外では、送信の概念（８値残留側波帯（８−ＶＳＢ）、直交振幅変調（ＱＡＭ）など）と、受信器構成部分（無線周波数（ＲＦ）フロントエンドなど）、又は受信器部（低雑音ブロック、チューナ、復調器、相関器、漏れ積分器、及び二乗器など）とを前提とする。同様に、伝送ビット・ストリームを生成するフォーマッティング及び符号化の方法（動画像専門家グループ（ＭＰＥＧ）−２方式標準（ＩＳＯ／ＩＥＣ（１３８１８−１））は周知であり、本明細書では説明しない。更に、本発明の概念は、そういうものとして本明細書では説明しない通常のプログラミング手法を用いて実施することができる。最後に、添付図面上の同じ符号は同様なエレメントを表す。
【実施例】
【０００９】
本発明の概念を説明する前に、ＡＴＳＣ−ＤＴＶシステムに用いるセントロイド算出器１００の構成図を図１に示す。セントロイド算出器１００は、相関器１０５、漏れ積分器１１０、二乗器１１５、ピーク・サ―チ・エレメント１２０、乗算器１２５、第１の積分器１３０、第２の積分器１３５及び位相検出器１４０を備える。セントロイド算出器１００は、セグメント同期信号と、シンボル毎１サンプルと、同相（実）成分のみを備えるデータ入力信号１０１−１とに基づいている。データ入力信号１０１−１は、復調器（図示せず）によって供給される復調された受信ＡＴＳＣ−ＤＴＶ信号を表す。
【００１０】
データ入力信号１０１−１は、その中のセグメント同期信号（又はパターン）を検出する相関器１０５（又はセグメント同期検出器１０５）に印加される。セグメント同期信号は反復パターンを有し、隣接する２つのセグメント同期信号間の距離は幾分大きい（８３２シンボル）。そういうものとして、セグメント同期信号は、チャネル・インパルス応答を推定するのに用いることが可能であり、チャネル・インパルス応答は同様に、チャネル仮想中心すなわちセントロイドを推定するのに用いる。セグメント同期検出器１０５は、ＡＴＳＣ−ＤＴＶセグメント同期、すなわち、２進表現における［１  ０  ０  １］、又はＶＳＢシンボル表現における［＋５  −５  −５  ＋５］の特性に対してデータ入力信号１０１−１を互いに関係付ける。セグメント同期検出器１０５からの出力信号が、漏れ積分器１１０に次いで印加される。漏れ積分器は、８３２シンボル長を有し、これは、一セグメントにおけるシンボル数に等しい。ＶＳＢデータはランダムであるので、データ・シンボル位置での積分器値はゼロに向けて平均化されることになる。しかし、４つのセグメント同期シンボルは８３２シンボル毎に繰り返されるので、セグメント同期位置での積分器値は信号強度に比例して増えることになる。チャネル・インパルス応答がマルチパス又はゴーストをもたらす場合、セグメント同期シンボルは、そのマルチパス遅延位置に現れることになる。その結果、マルチパス遅延位置での積分器値も、ゴースト振幅に比例して増えることになる。漏れ積分器は、ピーク・サーチが行われた後、積分器が新たな数を加算する都度、定数を減算する。これは、ハードウェア・オーバフローを避けるために行われる。８３２個の漏れ積分器値は、積分器１１５によって二乗される。結果として生じる出力信号、又は相関器信号１１６は、ピーク・サーチ・エレメント１２０及び乗算器１２５に送られる（なお、二乗の代わりに、エレメント１１５はその入力信号の絶対値を供給することができる）。
【００１１】
各漏れ積分器値（相関器信号１１６）がピーク・サーチ・エレメント１２０に入力されると、相当するシンボル・インデックス値（シンボル・インデックス１１９）もピーク・サーチ・エレメント１２０に入力される。シンボル・インデックス１１９は、元々ゼロにリセットすることができ、０から８３１までのパターンを繰り返して、新たな漏れ積分器値毎に１、増やされる。ピーク・サーチ・エレメント１２０は、二乗された８３２個の積分器値（相関器信号１１６）にわたってピーク・サーチを行い、ピーク信号１２１を供給する。ピーク信号は、８３２個の二乗積分器値のうちの最大値に関連したシンボル・インデックスに相当する。ピーク信号１２１は、チャネルの初期中心として用いられ、第２の積分器１３５（以下に説明する）に入力される。
【００１２】
漏れ積分器値（相関器信号１１６）も、現行シンボル・インデックスから初期中心までの相対距離によっても重み付けされ、重み付けされた中心位置は次いで、帰還ループ又はセントロイド算出ループによって判定される。セントロイド算出ループは、位相検出器１４０、乗算器１２５、第１の積分器１３０及び第２の積分器１３５を備える。この帰還ループは、ピーク・サーチが行われた後に始まり、第２の積分器１３５は初期中心又はピーク値によって初期化される。位相検出器１４０は、現行シンボル・インデックス（シンボル・インデックス１１９）と仮想中心値１３６との間の距離（信号１４１）を算出する。重み付けされた値１２６は、乗算器１２５を介して算出され、第１の積分器１３０に供給され、第１の積分器１３０は、８３２個のシンボル群毎に、重み付けされた値を累算する。前述のように、第２の積分器１３５は当初、ピーク値に設定され、次いで、第１の積分器１３０の出力を累算して仮想中心値又はセントロイド１３６を作成するよう進む。図１における積分器は全て、暗黙的なスケーリング係数を有する。
【００１３】
仮想中心値１３６が判定されると、セグメント同期やフレーム同期信号などのＶＳＢ参照信号が、仮想中心で整列するよう受信器において局所で再生成される。その結果、等化データ出力が仮想中心で整列されることになるようにチャネルを等化させるようタップが等化器において増えることになる。図２は、仮想中心に基づいたセグメント同期再生成を示す構成図である。特に、セグメント同期生成器１６０は前述の仮想中心値１３６及びシンボル・インデックス１１９をセントロイド算出器１００から受信し、それに応じてセグメント同期信号１６１を供給する。例えば、セグメント同期信号１６１は、シンボル・インデックス１１９が仮想中心値１３６に一致する場合に「１」の値を有し、さもなければ「０」の値を有する。あるいは、セグメント同期信号１６１は、中心値から始まる、後続する４つのシンボル・インデックス値の間に「１」の値を有し、それ以外の場合に「０」の値を有し得る。
【００１４】
複素データ入力信号（同相成分及び直交成分）、シンボル毎２サンプル、及びフレーム同期ベースの設計への、図１に関して前述したシステムの拡張は、図１から容易に導き出される。
【００１５】
例えば、データ入力信号が複素の場合、セントロイド算出器（この場合、「複素セントロイド算出器」としても表す）は、図３に示すように入力データ信号の同相（Ｉ）成分及び直交（Ｑ）成分を別個に処理する。特に、入力データ信号の同相成分（１０１−１）は、セグメント同期検出器１０５−１、漏れ積分器１１０−１及び二乗器１１５−１によって処理される。一方、入力データ信号の直交成分（１０１−２）は、セグメント同期検出器１０５−２、漏れ積分器１１０−２及び二乗器１１５−２によって処理される。これらのエレメントのそれぞれは、図１で前述したものと同様に機能する。添付図面に示していないが、シンボル・インデックスは何れの二乗器エレメントからも生成することが可能である。各二乗器（１１５−１及び１１５―２）からの出力信号を加算器１８０によって一緒に加算して相関器信号１１６を供給し、処理の残りは、図１に関して前述したものと同じである。
【００１６】
ＡＴＳＣ−ＤＴＶ標準では、等化器は一般に、約１０．７６ＭＨｚのシンボル・レートに等しい平均レートでＶＳＢデータ・ストリームを受信し、地上波放送チャネルに特有のマルチパス伝搬によって主に生じる線形歪みを除去しようとする適応型フィルタである。このアプリケーションの場合に最も一般的な等化器の設計は、Ｔ間隔のＤＦＥ（判定帰還等化器）から成る。ＤＦＥは一般に、フィードフォワード・フィルタ、フィードバック・フィルタ及びスライサを含み、フィードバック・フィルタは一般に、スライサからの判定によって駆動される。通常、等化器は、等化する対象のマルチパス遅延分布などの要因に応じてそのフィルタにおいて特定数Ｋのタップを有し、タップ間隔「Ｔ」は、常にそうである訳でないが、一般にシンボル・レートでのものであり、各タップは、関連した係数値Ｃｋ（０≦ｋ＜Ｋ）を有する。こうしたフィルタ係数の値は、所望の特性に適合させて、望ましくない歪み作用を削減するよう調節される。前述のフィルタの重要なパラメータは、コンバージェンス・レートである。コンバージェンス・レートは、等化器の最適な設定、すなわち、最適なフィルタ係数値へのコンバージェンスに必要な反復数として規定することができるコンバージェンス・レートである。フィルタ係数の適応は通常、送信信号における同期化間隔中の「訓練系列」の送信によって行われるか、又は、送信信号の特性回復手法を用いた「ブラインド・アルゴリズム」によるものであり得る。
【００１７】
従来技術のＤＦＥ等化器５００の構成図を図４に示す。等化器５００の種々のエレメントの機能は周知であり、本明細書では非常に簡潔に説明するのみとする。等化器係数を適応させる特定のアルゴリズム（最小平均二乗（ＬＭＳ）、定包絡線化アルゴリズム（ＣＭＡ）、削減コンスタレーション・アルゴリズム（ＲＣＡ）など）は当該技術分野において知られており、本明細書では説明しない。等化器５００は、フィードフォワード・フィルタ（ＦＦＦ）５０５と、合成器５１０と、スライサ５１５と、モード・スイッチ・エレメント５２０と、ロック検出器／平均二乗誤差（ＭＳＥ）推定器５２５（以下、単にロック検出器５２５）と、フィードバック・フィルタ（ＦＢＦ）５３０とを備える。ＦＦＦ５０５もＦＢＦ５３０も、信号路５２２によって表す調節可能なフィルタ係数を有する。フィルタリングする対象の信号（入力信号５０４）はＦＦＦ５０５に印加され、ＦＦＦ５０５は信号をフィルタリングし、出力信号５０６を合成器５１０に供給する。等化器５００の他方のフィルタ（すなわち、ＦＢＦ５３０）は、信号５２１（モード・スイッチ・エレメント５２０によって供給される）をフィルタリングして出力信号５３１を合成器５１０に供給する。以下に更に詳細に説明するように、モード・スイッチ・エレメント５２０は、等化器５００のモードの関数として信号５２１のソースを変える。この明細書では、信号５２１のソースは、等化器出力信号５１１、スライサ出力信号５１６又は外部信号５１９であり得る。よって、等化器モードに応じて、ＦＢＦ５３０は別々の信号をフィルタリングする。この例では、等化器５００は、３つの動作モード（すなわち、訓練モード、ブラインド・モード、及び判定誘導モード）を有する。合成器５１０に戻れば、このエレメントは２つのフィルタからの出力信号を加え、等化器出力信号５１１を供給する。等化器出力信号はスライサ５１５によって更に処理され、スライサは、スライスされた出力信号５１６を供給する。当該技術分野において知られているように、スライサ５１５は、各シンボル間隔Ｔにおける等化器出力信号５１１の特定値に最も近いシンボル・コンスタレーション（図示せず）からシンボルを選択し、選択されたシンボルをスライサ出力信号５１６として供給する。
【００１８】
等化器５００の残りのエレメントは、ステータス情報を供給し、等化器５００のモードも制御する。ロック検出器５２５は、等化器５００のコンバージェンスを検出し、等化器出力信号５１１とスライサ出力信号５１６との間のＭＳＥの尺度を供給する役割を果たす。コンバージェンスに関しては、ロック検出器５２５はロック信号５２６を供給し、ロック信号は、等化器５００がロックされているか否か（すなわち、コンバージェンスが行われたか否か）を表す。特に、ロック検出器５２５は、等化器出力信号５１１及びスライサ出力信号５１６を、ＭＳＥタイプの尺度の閾値に対して比較する。ロック信号５２６は、受信器の他の部分（図示せず）に対して、その中で用いるために供給される。ＭＳＥの尺度に関しては、ロック検出器５２５はＭＳＥ推定５２７をモード・スイッチ・エレメント５２０に供給する。
【００１９】
モード・スイッチ・エレメント５２０は、ＭＳＥ推定５２７の関数として等化器５００のモード（訓練、ブラインド、又は判定による規定）を判定する。等化器５００のモードは、信号５２１によってＦＢＦ５３０に印加される入力信号、並びに信号路５２２を介して等化器を適合させるのに用いる対象のエラー信号及び制御信号を判定する。ＦＢＦ５３０への入力信号は、等化器出力信号５１１、スライサ出力信号５１６又は外部入力信号３１９であり得る。外部入力信号は、例えば、訓練系列、又は別の受信器ブロックによって供給される信号であり得る。等化器５００は、コンバージェンス目的のみで訓練モード及びブラインド・モードを用いる。ロック検出器５２５がコンバージェンスを検出した後、等化器５００は次いで、判定によって規定されるモードに移行する。コンバージェンスが失われた場合、等化器５００は、訓練モード又はブラインド・モードに戻る。
【００２０】
訓練モードでは、訓練信号又は訓練系列を用いて、等化器タップ係数を適合させる、又は更新する。訓練信号は、既知の参照信号である。エラー信号が、訓練信号（信号５１９によって受信される）の、局所で生成される複製を等化器出力信号５１１から減算（図４に示していない）することによってモード・スイッチ５２０において形成される。モード・スイッチ・エレメント５２０は、信号５２２によって、係数適応の目的でこのエラー信号をＦＦＦ５０５及びＦＢＦ５３０に供給する。ＡＴＳＣ受信器に関しては、最大７０４シンボルの訓練系列が、初期等化器コンバージェンスを可能にするよう、ＡＴＳＣ−ＤＴＶ信号のフィールド同期に含まれる。更に、別の形態の同期信号（セグメント同期）が、ＡＴＳＣ−ＤＴＶ信号においてより頻繁に生起するが、４シンボルを含むだけである。訓練モードでは、等化器係数は、フィールド同期中に、又はセグメント同期中にも更新される。しかし、フィールド同期信号の利用に関連した主たる欠点が２つ存在している。第１は、このことが受信信号においてフィールド同期信号を正確に検出することを必要とするということであり、第２は、フィールド同期信号が、約２５ミリ秒（ｍｓ）毎にしか生起せず、これによって場合によってはコンバージェンスが遅くなってしまうということである。
【００２１】
実際に、ゴースト環境はフィールド同期信号の検出を困難にし得るので、等化器タップ係数の初期調節を訓練系列とは無関係にする（すなわち、ブラインド・モードを用いる）ことに関心がある。ブラインド・モードは各受信データ・シンボルを処理するので、ブラインド・アルゴリズム（例えば、前述のＣＭＡアルゴリズム又はＲＣＡアルゴリズム）は、より速いコンバージェンスを有することになる。例えば、ＣＭＡブラインド・モードでは、モード・スイッチ・エレメント５２０は、等化器出力信号５１１をＦＢＦ５３０に信号５２１によって供給する。
【００２２】
コンバージェンス後、等化器５００は、判定によって規定される動作モードに切り換えられる。このモードでは、フィルタ・タップの重み又は係数の最終コンバージェンスは、（例えば、前述のＬＭＳアルゴリズムによって）シンボルの実際値を用いることによって達成される。そういうものとして、判定によって規定されるモードでは、モード・スイッチ・エレメント５２０はスライサ出力信号５１６、等化器出力信号５１１、又は外部信号５１９をＦＢＦ５３０に信号５２１によって供給する。判定によって規定されるモードは、周期的に送信される訓練信号を用いた手法よりもすばやく時間変動性チャネル歪みの追跡及び消去を行うことができる。判定によって規定される等化によって高信頼度のコンバージェンス及び安定的な係数値が供給されるためには、高い割合の判定が正しくなければならない。
【００２３】
伝統的な形態の等化は、主タップ（図示せず）において予め設定された非ゼロ値で等化器５００を起動させる一方、残りのタップは全て、ゼロの値に等しくなるように設定される。主タップは一般に、この場合には、所定のＦＦＦタップである。対照的に、別の形態の等化は、主タップ値なしで等化器５００を起動させ、タップは全て、ゼロの値に等しくなるように設定される。この別の形態の等化によって、前述のＡＴＳＣ−ＤＴＶシステムのようなディジタル・システムにおける、特性上の潜在的な利点が備えられる。しかし、こうした特性上の潜在的な利点が、初期獲得のための訓練アルゴリズムに依拠する必要性によってオフセットされ、これが、受信器特性に負の影響を及ぼし得ることも明らかになった。例えば、ＡＴＳＣ受信器における獲得は、主訓練信号（すなわち、ＡＴＳＣ−ＤＴＶフィールド同期信号）が２５ｍｓ（ミリ秒）毎にしか繰り返さないため、かなり遅くなり得る。
【００２４】
したがって、かつ本発明の原理によれば、デュアルモード等化器は、受信信号の特性によって両方のタイプの等化手法を利用する。特に、受信器は、少なくとも２つの共同作用動作モードを有する等化器を備え、第１の共同作用モードでは、等化器は、少なくとも１つのタップ、例えば、主タップにおいて予め設定された非ゼロ値で起動される一方、第２の共同作用モードでは、等化器は、全てのタップが同じ値、例えば、ゼロの値に等しくなるように設定されるように起動される。
【００２５】
本発明の原理による例証的なテレビジョン受像機１０の概要レベル構成図を図５に示す。テレビジョン（ＴＶ）受像機１０は受信器１５及びディスプレイ２０を含む。例証的には、受信器１５はＡＴＳＣ互換受信器である。受信器１５は、ＮＴＳＣ（米国テレビジョン方式委員会）互換でもあり得る（すなわち、ＴＶ受像機１０がＮＴＳＣ放送又はＡＴＳＣ放送からのビデオ・コンテンツを表示することができるようにＮＴＳＣ動作モード及びＡＴＳＣ動作モードを有し得る）。本発明の概念の説明を簡単にするうえで、ＡＴＳＣ動作モードのみを本明細書において説明する。受信器１５は、例えば、その上でビデオ・コンテンツを視るためにディスプレイ２０に印加するＨＤＴＶ（高品位ＴＶ）ビデオ信号をそこから復元するよう処理するために放送信号１１を（例えば、アンテナ（図示せず）を介して）受信する。
【００２６】
本発明の原理によれば、受信器１５は、少なくとも２つの共同作用動作モードを有する等化器を含む。本発明の原理による等化器６００の例証的な実施例を図６に示す。等化器６００は、モード・スイッチ・エレメント６２０以外は等化器５００と同様なものである。モード・スイッチ・エレメントは、等化器共同作用モード制御信号６１８に応じ、いくつかの共同作用動作モードのうちの１つを選択する。次に図７に移れば、モード・スイッチ・エレメント６２０において用いる例証的な流れ図を示す。工程９０５では、モード・スイッチ・エレメント６２０は、等化器共同作用モード制御信号６１８を検査することによって共同作用動作モード及び動作組を判定する。この例では、２つの別個の動作組（初期化及びタップ適応）をそれぞれが備える２つの共同作用動作モードが存在している。この場合、動作モード及び動作組のグループ化によって、等化器共同作用モード制御について４つの可能性が構成される。例証的には、第１の共同作用動作モードが「０」及び「１」の等化器共同作用モード制御信号６１８の値に関連する一方、第２の共同作用動作モードは、「２」及び「３」の等化器相互作用モード制御信号６１８の値に関連する。しかし、本発明の概念は前述に限定されるものでない。工程９０５で、等化器共同作用モード制御信号６１８の値が「０」を表す場合、モード・スイッチ・エレメント６２０は、第１共同作用動作モードに等化器６００を設定し、動作は初期化である。よって、工程９１０で、モード・スイッチ・エレメント６２０は、等化器６００の少なくとも１つのタップ、例えば、主タップを非ゼロ値に設定する。しかし、等化器共同作用モード制御信号６１８の値が「１」を表す場合、モード・スイッチ・エレメント６２０は、第１共同作用動作モードに等化器６００を設定し、動作は適応である。よって、工程９１５では、モード・スイッチ・エレメント６２０は、等化器６００のタップ適応を起動させる。更に、等化器６００は、工程９２０で、ブラインド動作モード（前述）に入り、コンバージェンスによって、工程９２５で、判定によって規定される動作モード（前述）に移る。なお、他の代替策が考えられる。例えば、工程９２０はブラインド及び訓練の合成動作モードであり得るものであり。工程９２５は、訓練モード、及び判定によって規定される動作モードの合成動作モードであり得る。ブラインド及び訓練の合成動作モードは、ストリームのデータ部分中にブラインド・モードが施され、ストリームの訓練部分中又は同期部分中に訓練モードが施されるモードである。訓練動作モード、及び判定によって規定される動作モードの合成動作モードは、ストリームのデータ部分中に、判定によって規定されるモードが施され、ストリームの訓練部分中又は同期部分中に訓練モードが施されるモードである。工程９２０及び９２５によって表されるモード間の移行は、プログラム可能な閾値（ｍｓｅ＿ｔｈｒｅｓｈ）によって、等化器出力でＭＳＥの関数として等化器コンバージェンスを達成することに基づくものである。例えば、ＭＳＥ推定５２７の値≦ｍｓｅ＿ｔｈｒｅｓｈの場合、等化器６００はコンバージェンスが行われ、ロック信号５２６は「１」の値に等しくなるように設定され、等化器６００は工程９２０から工程９２５に移る。
【００２７】
図７の流れ図の説明を続ければ、等化器共同作用モード制御信号６１８の値が「２」を表す場合、モード・スイッチ・エレメント６２０は、第２の共同作用動作モードに等化器６００を設定し、動作は初期化である。よって、工程９３０では、モード・スイッチ・エレメント６２０は、等化器６００のタップ全てを同じ値、例えば、ゼロの値に設定する。しかし、等化器共同作用モード制御信号６１８の値が「３」を表す場合、モード・スイッチ・エレメント６２０は、第２共同作用動作モードに等化器６００を設定し、動作は適応である。よって、工程９３５では、モード・スイッチ・エレメント６２０は、等化器６００のタップ適応を起動させる。更に、等化器６００は、工程９４０で、訓練動作モード（前述）に入り、別々のレベルのコンバージェンスを達成すると、まず、工程９４５で、ブラインド動作モード（前述）に移り、次いで、工程９５０で、判定によって規定される動作モード（前述）に移る。工程９４０／９４５と工程９４５／９５０との間の別個の２つの移行は、プログラム可能な２つの閾値（ｍｓｅ＿ｔｈｒｅｓｈ１及びｍｓｅ＿ｔｈｒｅｓｈ２、ここで、ｍｓｅ＿ｔｈｒｅｓｈ１＞ｍｓｅ＿ｔｈｒｅｓｈ２である）による、等化器出力でのＭＳＥの関数である。例えば、推定されたｍｓｅ＿ｔｈｒｅｓｈ２＜ＭＳＥ推定５２７≦ｍｓｅ＿ｔｈｒｅｓｈ１の場合、等化器６００は工程９４０から工程９４５に移る。工程９４５に入れば、ＭＳＥ推定５２７＜ｍｓｅ＿ｔｈｒｅｓｈ２の場合、等化器６００のコンバージェンスが行われており、ロック信号５２６は「１」の値に等しくなるように設定され、等化器６００は工程９４５から工程９５０に移る。前述の通り、ブラインド及び訓練の合成動作モード、訓練モードと判定によって規定されるモードとの合成モード等の意味合いで、工程９４０、９４５及び／又は９５０の他の代替策も考えられる。
【００２８】
前述の通り、等化器相互作用動作モード及び動作組は、等化器相互作用制御信号６１８によって判定される。図５の受信器１５は、いくつかのやり方のうちのいずれかでこの信号を供給することが可能である。例えば、等化器相互作用制御信号６１８は、受信器１５のプロセッサ（図示せず）によって制御されるプログラム可能なレジスタによって供給することができるか、又は別の受信器ブロックから供給することができる。例えば、プロセッサは、ロック信号５２６及び／又はＭＳＥ推定５２７によって表される受信信号の関数としていくつかの相互作用モードのうちの１つを選択することが可能である。
【００２９】
次に図８を参照すれば、本発明の原理による等化器６００の別の例証的な実施例を示す。この実施例では、等化器相互作用モード制御信号６１８は、コントローラ６５０によって表される別の受信器ブロックによって供給される。図８の残りのエレメントは、図６に示すものと同様なものである。更に、この実施例では、特定の相互作用動作モードが図７の流れ図によって表される。コントローラ６５０は、モード信号２０７及びステータス信号２１１の関数として等化器相互作用動作モード及び動作組を判定する。モード信号２０７は、受信器１５のプロセッサ（図示せず）によって設定され、デュアルモード同期生成器（以下に更に説明する）のモードに関連付けられる。この点で、ステータス信号２１１は、デュアルモード同期生成器からのステータス信号を表す。デュアルモード同期生成器からの情報を用いることは、受信器応答を高速化し、よって、特に、デュアルモード同期生成器がモード２にある場合、受信器１５の全体タイミングに有益であり得る。以下に更に説明するように、モード２では、セグメント同期生成は、当初、セントロイド算出器ピーク値に基づいており、中心値算出が後に完了した時点にのみ、セントロイド算出器中心値に基づくものに移行する。
【００３０】
この例証的な実施例では、コントローラ６５０は、図９に示す表１によって等化器相互作用モード制御信号６１８を供給する。例えば、モード信号２０７の値が「０」であり、ステータス信号２１１の値が「０」の場合、コントローラ６５０は等化器相互作用モード制御信号６１８を「０」の値に設定し、よって、第１の相互作用動作モードに等化器６００を設定する。表１の最終行では、「（２，３）」のエントリは、「２」の値に「３」の値が続くことを表す。これは、等化器６００が、初期化されるよう第２の相互作用動作モードにまず設定され、同じ相互作用動作モードにおいてタップ適応を行うよう後に設定される。なお、この実施例では、優先権は、デュアルモード同期生成器がモード２にある場合、第１の相互作用動作モードに与えられる。
【００３１】
コントローラ６５０の別の実施例も考えられる。例えば、図１０の表２を検討してみる。この実施例では、コントローラ６５０は、デュアルモード同期生成器がモード２にある場合に第２の相互作用動作モードに優先権を与える。
【００３２】
図９の表１及び図１０の表２によって示される変形の何れでも、等化器６００は、ピーク値が算出されると直ちに起動される。その結果、ピーク及び中心値があまり違わない実用的なチャネルの場合の多くについて等化器コンバージェンス時間及び全体受信器獲得時間におけるかなりの節減があり得る。
【００３３】
詳細な説明の残りは、前述の図８、図９及び図１０の実施例において用いるデュアルモード同期生成器の種々の例証的な実施例を説明している。
【００３４】
例証的には、図５の受信器１５は、同期化信号を供給する同期生成器を備え、同期生成器は少なくとも２つの動作モードを備え、第１の動作モードでは、同期生成器はチャネル仮想中心信号の関数として同期化信号を生成し、第２の動作モードでは、デュアルモード同期生成器は相関信号の関数として同期化信号を生成する。
【００３５】
本発明の原理によれば、デュアルモード同期生成器を等化器とともに用いて受信器応答を高速化することができる。この考えは、多くのチャネル・インパルス応答の場合、相当する仮想中心位置が主信号位置、すなわち最大強度又はピークを備えた信号に比較的近いことに基づいている。仮想中心の算出は、復調器コンバージェンス後にのみ行うことが可能であり、等化器は、チャネル中心値が識別されてからのみ起動されるので、このことによって、受信器獲得時間が増加し得る。これに鑑みて、デュアルモード同期生成器によって、ピーク・サーチが行われると直ちにではあるが、同期化信号の検出を表す相関信号を用いることによってチャネル仮想中心の判定の前に等化器を受信器が起動させることが可能になる。このことは、仮想中心が主信号又はピークであることを前提とする。仮想中心の算出が完了すると、新たな仮想中心によって等化器を再起動させるか、又は元のピークによる処理に進むかを次いで判定することが可能である。この判定は、例えば、ピーク及び中心値の位置が閾値距離内にあるか否か、又は等化器コンバージェンスが既に行われたか否かに基づき得る。多くのチャネル・インパルス応答の場合、等化に対するこの早期開始は、コンバージェンス時間及び受信器獲得時間全体に対する節減を表すものである。利用可能になると仮想中心を用いるという判定が行われても、中心値の算出を待つという元のストラテジと比較したペナルティなしで等化器をリセットすることが可能である。
【００３６】
前述に鑑みれば、受信器１５は、少なくとも２つの動作モードを有するデュアルモード同期生成器を含み、第１の動作モードでは、デュアルモード同期生成器は仮想中心信号の関数としてセグメント同期信号を生成し、第２の動作モードでは、デュアルモード同期生成器は相関信号の関数としてセグメント同期信号を生成する。受信器１５の適切な部分の例証的な構成図を図１１に示す。（なお、本発明の概念に適切でない受信器１５の他の処理ブロック、例えば、信号２７４を供給するＲＦフロントエンド等、は本明細書に示していない。）復調器２７５は、ＩＦ周波数（ＦＩＦ）を中心とし、６ＭＨｚ（百万ヘルツ）に等しい帯域幅を有する信号２７４を受信する。復調器２７５は、復調された受信ＡＴＳＣ−ＤＴＶ信号２０１をセントロイド算出器２００に供給する。セントロイド算出器２００は、図１のセントロイド算出器１００と同様であり、仮想中心値１３６、シンボル・インデックス１１９及びピーク信号１２１を供給する。なお、ピーク信号１２１は、相関データを伝える信号、すなわち相関信号を表す。しかし、他の信号、例えば、図１の信号１１６等を用いることが可能である。前述の信号に加えて、セントロイド算出器２００は、いくつかの更なる信号も供給する。まず、セントロイド算出器２００は算出フラグ信号２０２を供給し、算出フラグ信号は、セントロイド算出の完了の時点を識別する。例えば、算出フラグ信号２０２は、算出が完了すると「１」の値に設定し、先行して「０」に設定することができる。最後に、セントロイド算出器２００はピーク・フラグ信号２０４を供給し、ピーク・フラグ信号は、ピーク・サーチの完了の時点を識別する。例えば、ピーク・フラグ信号２０４は、ピーク・サーチ算出が完了すると「１」の値に設定し、先行して「０」に設定することができる。
【００３７】
セントロイド算出器２００は、前述の出力信号１３６、１２１、２０２及び２０４を判定装置２１０（以下に説明している）に供給する。本発明の原理によれば、判定装置２１０はセグメント参照信号２１２をセグメント同期生成器２６０に対して生成し、セグメント同期生成器２６０は図２の、前述のセグメント同期生成器１６０と同様である。特に、セグメント同期生成器２６０はセグメント参照信号２１２を判定装置２１０から受信し、シンボル・インデックス１１９をセントロイド算出器２００から受信し、セグメント同期信号２６１をそれに応じて供給する。例えば、セグメント同期信号２６１は、シンボル・インデックス１１９がセグメント参照信号２１２に一致する場合に「１」の値を有し、さもなければ「０」の値を有する。本発明の原理によれば、セグメント同期信号２６１は、仮想中心値１３６の関数又はピーク信号１２１の関数として生成される。
【００３８】
もう一度判定装置２１０に戻れば、この装置は、仮想中心値１３６、ピーク信号１２１、算出フラグ信号２０２及びピーク・フラグ信号２０４をセントロイド算出器２００から受信する。更に、判定装置２１０は又、２つの制御信号、閾値信号２０６及びモード信号２０７を（例えば、受信器１５のプロセッサ（図示せず）から）受信する。例証的には、３つの動作モードが存在するが、本発明の概念は、前述に限定されるものでない。第１の動作モードでは、例えば、モード信号２０７が「０」の値に等しくなるように設定され、相関信号のみを、セグメント同期信号の生成に用いる。第２の動作モードでは、例えば、モード信号２０７が「１」の値に等しくなるように設定され、仮想中心値のみを、セグメント同期信号の生成に用いる。最後に、第３の動作モードでは、例えば、モード信号２０７が「２」の値に等しくなるように設定され、相関信号又は仮想中心値を、セグメント同期信号の生成に用いる。最後に、判定装置２１０は、前述のセグメント参照信号２１２の供給を行い、受信器１５の他の部分（図示せず）によって用いるステータス信号２１１の供給も行う。
【００３９】
本発明の原理によれば、判定装置２１０は、図１２の流れ図に示すようなセグメント参照信号２１２を供給する。なお、本発明の原理は、流れ図の意味合いで本明細書に記載しているが、他の表現、例えば、状態図も用いることが可能である。工程３０５では、判定装置２１０は、現行動作モ―ドをモード信号２０７から判定する。モード信号２０７が「０」の値を表す場合、判定装置２１０は、工程３２５で、セグメント参照信号２１２としてピーク信号１２１を供給する。一方、モード信号２０７が「１」の値を表す場合、判定装置２１０は、工程３２０で、セグメント参照信号２１２として仮想中心値１３６を供給する。最後に、モード信号２０７が「２」の値を表す場合、判定装置２１０は、工程３１０で、算出フラグ信号２０２を評価する。算出フラグ信号２０２の値が「０」に等しい場合、例えば、セントロイド算出器２００が仮想中心値の判定を未だ終えていない場合、判定装置２１０は、工程３２５で、セグメント参照信号２１２としてピーク信号１２１を供給する。しかし、算出フラグ信号２０２の値が「１」に等しくなると、判定装置２１０は、工程３１５で、相関値と、判定された仮想中心値との間の距離を評価する。｜ｐｅａｋ−ｃｅｎｔｅｒ  ｖａｌｕｅ｜≦ｔｈｒｅｓｈｏｌｄ（閾値信号２０６によって伝えられる）の場合、判定装置２１０は、工程３２５で、セグメント参照信号２１２としてピーク信号１２１を供給する。この場合、ピークは、仮想中心値からの閾値距離内にある。しかし、｜ｐｅａｋ−ｃｅｎｔｅｒ  ｖａｌｕｅ｜＞ｔｈｒｅｓｈｏｌｄの場合、判定装置２１０は、工程３２０で、セグメント参照信号２１２として仮想中心値１３６を供給する。この場合、ピークは、仮想中心値からの閾値距離よりも大きい。
【００４０】
前述の通り、判定装置２１０は、ステータス信号２１１も供給する。この信号は、受信器１５の他の部分、例えば、図８の等化器６００に対して、セグメント参照がピークから得られるか、又は仮想中心値から得られるかを識別し、図８の等化器６００のような、後の受信器ブロックのリセットに用いることができる。
【００４１】
本発明の原理によれば、判定装置２１０は、図１３の流れ図に示すようなステータス信号２１１を供給する。図１２に示す流れ図のように、判定装置２１０はまず、工程４０５で、動作モードを判定する。モード信号２０７が「０」の値を表す場合（ピーク信号１２１を用いてセグメント参照信号２１２を生成する）、判定装置２１０は、工程４１０でピーク・フラグ信号２０４を評価する。ピーク・フラグ信号２０４の値が「１」に等しい、すなわち、ピーク・サーチが完了している場合、判定装置２１０は、工程４１５で、ステータス信号２１１を「２」の値に設定する。しかし、ピーク・フラグ信号２０４の値が「０」に等しい、すなわち、ピーク・サーチが完了していない場合、判定装置２１０は、工程４３０で、ステータス信号２１１を「０」の値に設定する。一方、モード信号２０７が「１」の値を表す場合、（仮想中心値１３６を用いてセグメント参照信号２１２を生成する）、判定装置２１０は、工程４２０で、算出フラグ信号２０２を評価する。算出フラグ信号２０２の値が「１」に等しい、算出が完了している場合、判定装置２１０は、工程４２５で、ステータス信号２１１を「３」の値に設定する。しかし、算出フラグ信号２０２の値が「０」に等しい、すなわち算出が完了していない場合、判定装置２１０は、工程４３０で、ステータス信号２１１を「０」の値に設定する。最後に、モード信号２０７が「２」の値を表す場合、（ピーク１２１又は仮想中心値１３６を用いてセグメント同期信号を生成する）、判定装置２１０は、工程４３５で、ピーク・フラグ信号２０４を評価する。ピーク・フラグ信号２０４の値が「０」に等しい、すなわち、ピーク・サーチが完了していない場合、判定装置２１０は、工程４４０で、ステータス信号２１１を「０」の値に設定する。しかし、ピーク・フラグ信号２０４の値が「１」に等しい、すなわち、ピーク・サーチが完了している場合、判定装置２１０は、工程４４５で、算出フラグ２０２を評価する。算出フラグ信号２０２の値が「０」に等しい、すなわち、算出が完了していない場合、判定装置２１０は、工程４５０で、ステータス信号２１１を「１」の値に設定する。しかし、算出フラグ信号２０２の値が「１」に等しい、すなわち、算出が完了している場合、判定装置２１０は、工程４５５で、ピーク値と、判定された仮想中心値との間の距離を評価する。｜ｐｅａｋ−ｃｅｎｔｅｒ  ｖａｌｕｅ｜≦ｔｈｒｅｓｈｏｌｄ（閾値信号２０６によって伝えられる）の場合、判定装置２１０は、工程４６０で、ステータス信号２１１を「２」の値に設定する。しかし、｜ｐｅａｋ−ｃｅｎｔｅｒ  ｖａｌｕｅ｜＞ｔｈｒｅｓｈｏｌｄの場合、判定装置２１０は、工程４２５で、ステータス信号２１１を「３」の値に設定する。
【００４２】
次に図１４に移れば、本発明の原理による別の例証的な実施例を示す。図１４に示す実施例は、判定装置２１０が更なる２つの入力信号を受け入れる以外は図１１に示すものと同様である。第１の入力信号はロック信号２０９である。ロック信号は、例えば、受信器１５の等化器のステータスと、等化器がロックされているか否かを伝える。ロック信号２０９は等化器から来るものか、別の受信器ブロックから来るものであり得るか、又は、プロセッサによって制御されるプログラム可能なビット・レジスタから来るものであり得る（全て図１４に示している訳でない）。他方の入力信号はΔＴ２０８である。この値は、期間（以下に説明する）が生起すること、又は過ぎることを表す。例証的には、ΔＴ２０８は、受信器１５のプロセッサ（図示せず）によって制御されるプログラム可能レジスタから供給され、時間間隔ΔＴ≧０を表す。
【００４３】
この実施例では、判定装置２１０が、図１５の流れ図に示すようにセグメント参照信号２１２を供給する。この流れ図は、図１２に示す流れ図と同様なものである。図１５の工程３０５では、判定装置２１０は現行動作モードをモード信号２０７から判定する。モード信号２０７が「０」の値を表す場合、判定装置２１０は、工程３２５で、セグメント参照信号２１２としてピーク信号１２１を供給する。一方、モード信号２０７が「１」の値を表す場合、判定装置２１０は、工程３２０で、セグメント参照信号２１２として仮想中心値１３６を供給する。最後に、モード信号２０７が「２」の値を表す場合、判定装置２１０は、工程３１０で、算出フラグ信号２０２を評価する。算出フラグ信号２０２の値が「０」である（例えば、セントロイド算出器２００が仮想中心値の判定を未だ終えていない）場合、判定装置２１０は、工程３２５で、セグメント参照信号２１２としてピーク信号１２１を供給する。しかし、算出フラグ信号２０２の値が「１」に移る（「１」への移行は、図１５中の記号「→１」によって表す）と（すなわち、算出がもう完了している場合）、判定装置２１０は、工程３１５で、相関値と、判定された仮想中心値との間の距離を評価する。｜ｐｅａｋ−ｃｅｎｔｅｒ  ｖａｌｕｅ｜≦ｔｈｒｅｓｈｏｌｄ（閾値信号２０６によって伝えられる）の場合、判定装置２１０は、工程３２５で、セグメント参照信号２１２としてピーク信号１２１を供給する。この場合、ピークは、仮想中心値からの閾値距離内にある。しかし、｜ｐｅａｋ−ｃｅｎｔｅｒ  ｖａｌｕｅ｜＞ｔｈｒｅｓｈｏｌｄの場合、判定装置２１０は、工程３３０で、ロック信号２０９を評価する。ロック信号２０９の値が「１」に等しく、ΔＴ期間内に生起する（例えば、等化器が、この期間内であって、算出フラグ信号２０２が「１」に移るにつれ算出され始め得る期間内にロックされている）場合、判定装置２１０は、工程３２５で、セグメント参照信号２１２としてピーク信号１２１を供給する。しかし、ロック信号２０９の値が「０」に等しく、ΔＴ２０８期間内に生起する（等化器がこの期間内にまだロックされていない）場合、判定装置２１０は、工程３２０で、セグメント参照信号２１２として仮想中心値１３６を供給する。
【００４４】
次に図１６を参照すれば、判定装置２１０は、図１６に示す流れ図に示すようなステータス信号２１１を供給する。この流れ図は、図１３に示す流れ図と同様なものである。判定装置２１０はまず、工程４０５で、動作モードを判定する。モード信号２０７が「０」の値を表す場合（ピーク信号１２１はセグメント参照信号２１２を生成するのに用いる）、判定装置２１０は、工程４１０で、ピーク・フラグ信号２０４を評価する。ピーク・フラグ信号２０４の値が「１」に等しい、すなわち、ピーク・サーチが完了している場合、判定装置２１０は、工程４１５で、ステータス信号２１１を「２」の値に設定する。しかし、ピーク・フラグ信号２０４の値が「０」に等しい場合、すなわち、ピーク・サーチが完了していない場合、判定装置２１０は、工程４３０で、ステータス信号２１１を「０」の値に設定する。一方、モード信号２０７が「１」の値を表す（仮想中心値１３６がセグメント参照信号２１２の生成に用いられる）場合、判定装置２１０は、工程４２０で、算出フラグ信号２０２を評価する。算出フラグ信号２０２の値が「１」に等しい（すなわち、算出が完了している）場合、工程４２５で、判定装置２１０はステータス信号２１１を「３」の値に設定する。しかし、算出フラグ信号２０２の値が「０」に等しい（すなわち、算出が完了していない）場合、判定装置２１０は、工程４３０で、ステータス信号２１１を「０」の値に設定する。最後に、モード信号２０７が「２」の値を表す（ピーク信号１２１又は仮想中心値１３６をセグメント同期信号の生成に用いる）場合、判定装置２１０は、工程４３５で、ピーク・フラグ信号２０４を評価する。ピーク・フラグ信号２０４の値が「０」に等しい（すなわち、ピーク・サーチが完了していない）場合、判定装置２１０は、工程４４０で、スタータス信号２１１を「０」の値に設定する。しかし、ピーク・フラグ信号２０４の値が「１」に等しい（すなわち、ピーク・サーチが完了している）場合、判定装置２１０は、工程４４５で、算出フラグ２０２を評価する。算出フラグ信号２０２の値が「０」に等しい（すなわち、算出が完了していない）場合、判定装置２１０は、工程４５０で、ステータス信号２１１を「１」の値に設定する。しかし、算出フラグ信号２０２の値が「１」に移ると（「１」への移行は図１６の記号「→１」によって表される）、すなわち、算出がもう完了している場合、判定装置２１０は、工程４５５で、ピーク値と、判定された仮想中心値との間の距離を評価する。｜ｐｅａｋ−ｃｅｎｔｅｒ  ｖａｌｕｅ｜≦ｔｈｒｅｓｈｏｌｄ（閾値信号２０６によって伝えられる）の場合、判定装置２１０は、工程４６０で、ステータス信号２１１を「２」の値に設定する。しかし、｜ｐｅａｋ−ｃｅｎｔｅｒ  ｖａｌｕｅ｜＞ｔｈｒｅｓｈｏｌｄの場合、判定装置２１０は工程４８５で、ロック信号２０９を評価する。ロック信号２０９の値が「１」に等しく、ΔＴ２０８期間内に生起する（例えば、等化器が、この期間内であって、算出フラグ信号２０２が「１」に移るにつれ、算出され始め得る期間内にロックされた）場合、判定装置２１０は、工程４６０で、ステータス信号２１１を「２」の値に設定する。しかし、ロック信号２０９の値が「０」に等しく、ΔＴ２０８期間内に生起する（等化器がこの期間内にまだロックされていない）場合、判定装置２１０は、工程４２５で、ステータス信号２１１を「３」の値に設定する。
【００４５】
次に図１７に移れば、本発明の原理による別の例証的な実施例を示す。図１７に示す実施例は、判定装置２１０が閾値信号２０６に依存していない以外は図１４に示すものと同様である。
【００４６】
この実施例では、判定装置２１０は、図１８の流れ図に示すようなセグメント参照信号２１２を供給する。この流れ図は、図１５に示す流れ図と同様なものである。図１８の工程３０５では、判定装置２１０は、現行動作モードをモード信号２０７から判定する。モード信号２０７が「０」の値を表す場合、判定装置２１０は、工程３２５で、セグメント参照信号２１２としてピーク信号１２１を供給する。一方、モード信号２０７が「１」の値を表す場合、判定装置２１０は、工程３２０で、セグメント参照信号２１２として仮想中心値１３６を供給する。最後に、モード信号２０７が「２」の値を表す場合、判定装置２１０は、工程３１０で、算出フラグ信号２０２を評価する。算出フラグ信号２０２の値が「０」に等しい、例えば、セントロイド算出器２００が仮想中心値の判定をまだ終えていない場合、判定装置２１０は、工程３２５で、セグメント参照信号２１２としてピーク信号１２１を供給する。しかし、算出フラグ信号２０２の値が「１」に移る（「１」への移行は、図１８中の記号「→１」によって表す）と（すなわち、算出はもう完了している）、判定装置２１０は、工程３３０で、ロック信号２０９を評価する。ロック信号２０９の値が「１」に等しく、ΔＴ２０８期間内に生起する（例えば、等化器がこの期間内であって、算出フラグ信号２０２が「１」に移るにつれ、算出され始め得る期間内にロックされている）場合、判定装置２１０は、工程３２５で、セグメント参照信号２１２としてピーク信号１２１を供給する。しかし、ロック信号２０９の値が「０」に等しく、ΔＴ２０８期間内に生起する（等化器がこの期間内にまだロックしていない）場合、判定装置２１０は、工程３２０で、セグメント参照信号２１２として仮想中心値１３６を供給する。
【００４７】
次に図１９を参照すれば、判定装置２１０は、図１９に示す流れ図に示すようなステータス信号２１１を供給する。この流れ図は、図１６に示す流れ図と同様なものである。判定装置２１０はまず、工程４０５で、動作モードを判定する。モード信号２０７が「０」の値を表す場合（ピーク信号１２１はセグメント参照信号２１２を生成するのに用いる）、判定装置２１０は、工程４１０で、ピーク・フラグ信号２０４を評価する。ピーク・フラグ信号２０４の値が「１」に等しい、すなわち、ピーク・サーチが完了している場合、判定装置２１０は、工程４１５で、ステータス信号２１１を「２」の値に設定する。しかし、ピーク・フラグ信号２０４の値が「０」に等しい場合、すなわち、ピーク・サーチが完了していない場合、判定装置２１０は、工程４３０で、ステータス信号２１１を「０」の値に設定する。一方、モード信号２０７が「１」の値を表す（仮想中心値１３６がセグメント参照信号２１２の生成に用いられる）場合、判定装置２１０は、工程４２０で、算出フラグ信号２０２を評価する。算出フラグ信号２０２の値が「１」に等しい（すなわち、算出が完了している）場合、工程４２５で、判定装置２１０はステータス信号２１１を「３」の値に設定する。しかし、算出フラグ信号２０２の値が「０」に等しい（すなわち、算出が完了していない）場合、判定装置２１０は、工程４３０で、ステータス信号２１１を「０」の値に設定する。最後に、モード信号２０７が「２」の値を表す（ピーク信号１２１又は仮想中心値１３６をセグメント同期信号の生成に用いる）場合、判定装置２１０は、工程４３５で、ピーク・フラグ信号２０４を評価する。ピーク・フラグ信号２０４の値が「０」に等しい（すなわち、ピーク・サーチが完了していない）場合、判定装置２１０は、工程４４０で、スタータス信号２１１を「０」の値に設定する。しかし、ピーク・フラグ信号２０４の値が「１」に等しい（すなわち、ピーク・サーチが完了している）場合、判定装置２１０は、工程４４５で、算出フラグ２０２を評価する。算出フラグ信号２０２の値が「０」に等しい（すなわち、算出が完了していない）場合、判定装置２１０は、工程４５０で、ステータス信号２１１を「１」の値に設定する。しかし、算出フラグ信号２０２の値が「１」に移ると（「１」への移行は図１９の記号「→１」によって表される）、すなわち、算出がもう完了している場合、判定装置２１０は、工程４８５で、ロック信号２０９を評価する。ロック信号２０９の値が「１」に等しく、ΔＴ２０８期間内に生起する（例えば、等化器が、この期間内であって、算出フラグ信号２０２が「１」に移るにつれ、算出され始め得る期間内にロックされた）場合、判定装置２１０は、工程４６０で、ステータス信号２１１を「２」の値に設定する。しかし、ロック信号２０９の値が「０」に等しく、ΔＴ２０８期間内に生起する（等化器がこの期間内にまだロックされていない）場合、判定装置２１０は、工程４２５で、ステータス信号２１１を「３」の値に設定する。
【００４８】
本明細書に記載したデュアルモード同期生成器の例証的な実施例は全て、何れかの同期信号に基づき得る。相関器は、選択する同期信号と入力データを比較する。ＡＴＳＣ−ＤＴＶの場合、特定の候補は、セグメント同期信号又はフレーム同期信号である。これらのタイプの同期信号の場合、違いは、相関器の選択と、同期信号のタイプ及びサイズに対応するうえでの積分器のサイズとにある。
【００４９】
同様に、本発明の原理によって本明細書に記載した例証的な実施例は全て、何れかのディジタル通信システムの何れかのタイプの訓練信号に基づくものであり得る。本発明の概念は、線形歪みを受けるシステムの何れかの訓練信号に拡張することができる。
【００５０】
前述は本発明の原理を例証するものに過ぎない。よって、当業者は、本明細書に明示していないが、本発明の原理を実施し、その趣旨及び範囲内にある別の数多くの配置を考え出すことができるものである。例えば、別個の機能エレメントの意味合いで例証しているが、こうした機能エレメントは、１つ又は複数の集積回路（ＩＣ）上に実施することができる。同様に、別個のエレメントとして示しているが、そうしたエレメントの何れか又は全てを、関連したソフトウェア（例えば、図示した（例えば、図７の）１つ又は複数の工程に相当する）を実行するストアード・プログラム制御プロセッサ（例えば、ディジタル信号プロセッサ）において実施することができる。更に、ＴＶ受像機１０内に組み込まれたエレメントとして示しているが、その中のエレメントは、その何れかの組み合わせにおいて別々の装置に分散させることができる。例えば、図５の受信器１５は、装置又はボックス（装置から物理的に別個のセットトップ・ボックスなど）若しくはディスプレイ２０等を組み入れたボックスの一部であり得る。更に、地上波放送の意味合いで説明しているが、本発明の原理は、他のタイプの通信システム（例えば、衛星、ケーブル等）に適用可能である。よって、数多くの修正を例証的な実施例に行うことができ、特許請求の範囲記載の、本発明の趣旨及び範囲から逸脱することなく他の配置を考え出すことができるものとする。
【図面の簡単な説明】
【００５１】
【図１】セントロイド算出器を示す構成図である。
【図２】セグメント同期生成器を示す構成図である。
【図３】複素セントロイド算出器において用いる、複素信号の処理を示す構成図である。
【図４】等化器を示す構成図である。
【図５】本発明の原理を実施する受信器の例証的な概要レベル構成図である。
【図６】本発明の原理を実施する受信器の例証的な部分を示す図である。
【図７】本発明の原理による例証的な流れ図である。
【図８】本発明の原理による別の実施例を示す図である。
【図９】表１を示す図である。
【図１０】表２を示す図である。
【図１１】図５の受信器１５において用いるデュアルモード同期生成器の例証的な実施例を示す図である。
【図１２】図１１のデュアルモード同期生成器において用いる例証的な流れ図である。
【図１３】図１１のデュアルモード同期生成器において用いる例証的な流れ図である。
【図１４】図５の受信器１５において用いるデュアルモード同期生成器の別の例証的な実施例を示す図である。
【図１５】図１４のデュアルモード同期生成器において用いる例証的な流れ図である。
【図１６】図１４のデュアルモード同期生成器において用いる例証的な流れ図である。
【図１７】図５の受信器１５において用いるデュアルモード同期生成器の別の例証的な実施例を示す図である。
【図１８】図１７のデュアルモード同期生成器において用いる例証的な流れ図である。
【図１９】図１７のデュアルモード同期生成器において用いる例証的な流れ図である。
【図１】
2007537677.tif 000003
【図２】
2007537677.tif 000004
【図３】
2007537677.tif 000005
【図４】
2007537677.tif 000006
【図５】
2007537677.tif 000007
【図６】
2007537677.tif 000008
【図７】
2007537677.tif 000009
【図８】
2007537677.tif 000010
【図９】
2007537677.tif 000011
【図１０】
2007537677.tif 000012
【図１１】
2007537677.tif 000013
【図１２】
2007537677.tif 000014
【図１３】
2007537677.tif 000015
【図１４】
2007537677.tif 000016
【図１５】
2007537677.tif 000017
【図１６】
2007537677.tif 000018
【図１７】
2007537677.tif 000019
【図１８】
2007537677.tif 000020
【図１９】
2007537677.tif 000021
【国際調査報告】
2007537677.tif 000022
2007537677.tif 000023
2007537677.tif 000024